(57)【特許請求の範囲】
【請求項１】
ユーザ端末とユーザとの間の距離を検出する段階と、
前記ユーザ端末の使用時間を検出する段階と、
前記距離と前記使用時間のうち少なくとも一つが予め定められた条件を満たせば、前記ユーザ端末の画面に表示される映像情報を予め定められた映像処理方法により変換処理する段階と、
前記映像情報が前記予め定められた映像処理方法により変換処理されたことに対して前記ユーザから予め定められた反応が感知されれば、映像変換処理情報と、前記距離と、前記使用時間とを少なくとも含む端末使用パターン情報を収集する段階と、
を含み、
前記予め定められた映像処理方法が、時間経過につれて段階的に前記映像情報を元のサイズより拡大または縮小することであり、
前記映像変換処理情報が、前記反応が感知された時点の前記映像情報の拡大の割合または縮小の割合を含む、
端末使用パターン情報の収集管理方法。
【請求項２】
ユーザ端末とユーザとの間の距離を検出する段階と、
前記ユーザ端末の使用時間を検出する段階と、
前記距離と前記使用時間のうち少なくとも一つが予め定められた条件を満たせば、前記ユーザ端末の画面に表示される映像情報を予め定められた映像処理方法により変換処理する段階と、
前記映像情報が前記予め定められた映像処理方法により変換処理されたことに対して前記ユーザから予め定められた反応が感知されれば、映像変換処理情報と、前記距離と、前記使用時間とを少なくとも含む端末使用パターン情報を収集する段階と、
を含み、
前記予め定められた映像処理方法が、時間経過につれて前記映像情報のぼやけ程度を段階的に高くなるようにすることであり、
前記映像変換処理情報が、前記反応が感知された時点の前記映像情報のぼやけ程度を含む、
端末使用パターン情報の収集管理方法。
【請求項３】
ユーザ端末とユーザとの間の距離を検出する段階と、
前記ユーザ端末の使用時間を検出する段階と、
前記距離と前記使用時間のうち少なくとも一つが予め定められた条件を満たせば、前記ユーザ端末の画面に表示される映像情報を予め定められた映像処理方法により変換処理する段階と、
前記映像情報が前記予め定められた映像処理方法により変換処理されたことに対して前記ユーザから予め定められた反応が感知されれば、映像変換処理情報と、前記距離と、前記使用時間とを少なくとも含む端末使用パターン情報を収集する段階と、
を含み、
前記予め定められた映像処理方法は、時間経過につれて前記映像情報を縁部からぼやけさせるか暗くする範囲を段階的に拡大させることであり、
前記映像変換処理情報は、前記反応が感知された時点の前記映像情報におけるぼやけさせるか暗くした範囲の情報を含む、
端末使用パターン情報の収集管理方法。
【請求項４】
前記予め定められた条件は、前記距離が基準距離未満であり、前記使用時間が基準時間以上と設定される請求項１〜３のいずれかに記載の端末使用パターン情報の収集管理方法。
【請求項５】
前記ユーザ端末とユーザとの間の距離が基準距離以上になれば、前記映像情報を元の状態で表示する段階をさらに含む請求項１〜３のいずれかに記載の端末使用パターン情報の収集管理方法。
【請求項６】
前記収集された端末使用パターン情報に基づいてユーザの目の健康状態を判断する段階をさらに含む請求項１〜３のいずれかに記載の端末使用パターン情報の収集管理方法。
【請求項７】
ユーザ端末とユーザとの間の距離とユーザ端末の使用時間のうち少なくとも一つが予め定められた条件を満たせば、画面に表示される映像情報を予め定められた映像処理方法により変換処理するユーザ端末で収集された端末使用パターン情報の提供を受けるサービスサーバを含み、
前記端末使用パターン情報は、前記映像情報が前記予め定められた映像処理方法により変換処理されたことに対して前記ユーザから予め定められた反応が感知されれば収集され、
前記端末使用パターン情報は、映像変換処理情報と、前記距離と、前記使用時間とを少なくとも含み、
前記予め定められた映像処理方法が、時間経過につれて段階的に前記映像情報を元のサイズより拡大または縮小することであり、
前記映像変換処理情報が、前記反応が感知された時点の前記映像情報の拡大の割合または縮小の割合を含む、
端末使用パターン情報の収集管理システム。
【請求項８】
ユーザ端末とユーザとの間の距離とユーザ端末の使用時間のうち少なくとも一つが予め定められた条件を満たせば、画面に表示される映像情報を予め定められた映像処理方法により変換処理するユーザ端末で収集された端末使用パターン情報の提供を受けるサービスサーバを含み、
前記端末使用パターン情報は、前記映像情報が前記予め定められた映像処理方法により変換処理されたことに対して前記ユーザから予め定められた反応が感知されれば収集され、
前記端末使用パターン情報は、映像変換処理情報と、前記距離と、前記使用時間とを少なくとも含み、
前記予め定められた映像処理方法が、時間経過につれて前記映像情報のぼやけ程度を段階的に高くなるようにすることであり、
前記映像変換処理情報が、前記反応が感知された時点の前記映像情報のぼやけ程度を含む、
端末使用パターン情報の収集管理システム。
【請求項９】
ユーザ端末とユーザとの間の距離とユーザ端末の使用時間のうち少なくとも一つが予め定められた条件を満たせば、画面に表示される映像情報を予め定められた映像処理方法により変換処理するユーザ端末で収集された端末使用パターン情報の提供を受けるサービスサーバを含み、
前記端末使用パターン情報は、前記映像情報が前記予め定められた映像処理方法により変換処理されたことに対して前記ユーザから予め定められた反応が感知されれば収集され、
前記端末使用パターン情報は、映像変換処理情報と、前記距離と、前記使用時間とを少なくとも含み、
前記予め定められた映像処理方法が、時間経過につれて前記映像情報を縁部からぼやけさせるか暗くする範囲を段階的に拡大させることであり、
前記映像変換処理情報が、前記反応が感知された時点の前記映像情報におけるぼやけさせるか暗くした範囲の情報を含む、
端末使用パターン情報の収集管理システム。
【請求項１０】
前記予め定められた条件は、前記距離が基準距離未満であり、前記使用時間が基準時間以上と設定される請求項７〜９のいずれかに記載の端末使用パターン情報の収集管理システム。
【請求項１１】
前記ユーザ端末とユーザとの間の距離が基準距離以上になれば、前記ユーザ端末は、前記映像情報を元の状態で表示する請求項７〜９のいずれかに記載の端末使用パターン情報の収集管理システム。
【請求項１２】
前記サービスサーバは、
前記収集された端末使用パターン情報に基づいてユーザの目の健康状態を判断する請求項７〜９のいずれかに記載の端末使用パターン情報の収集管理システム。
【請求項１３】
ユーザ端末とユーザとの間の距離を検出するための情報をセンシングする距離センサー部と、
前記ユーザ端末の使用時間を検出し、前記距離と前記使用時間のうち少なくとも一つが予め定められた条件を満たせば、前記ユーザ端末の画面に表示される映像情報を予め定められた映像処理方法により変換処理し、前記映像情報が前記予め定められた映像処理方法により変換処理されたことに対して前記ユーザから予め定められた反応が感知されれば、映像変換処理情報と、前記距離と、前記使用時間とを少なくとも含む端末使用パターン情報を収集する制御部と、
を含み、
前記予め定められた映像処理方法が、時間経過につれて段階的に前記映像情報を元のサイズより拡大または縮小することであり、
前記映像変換処理情報が、前記反応が感知された時点の前記映像情報の拡大の割合または縮小の割合を含む、
ユーザ端末。
【請求項１４】
ユーザ端末とユーザとの間の距離を検出するための情報をセンシングする距離センサー部と、
前記ユーザ端末の使用時間を検出し、前記距離と前記使用時間のうち少なくとも一つが予め定められた条件を満たせば、前記ユーザ端末の画面に表示される映像情報を予め定められた映像処理方法により変換処理し、前記映像情報が前記予め定められた映像処理方法により変換処理されたことに対して前記ユーザから予め定められた反応が感知されれば、映像変換処理情報と、前記距離と、前記使用時間とを少なくとも含む端末使用パターン情報を収集する制御部と、
を含み、
前記予め定められた映像処理方法が、時間経過につれて前記映像情報のぼやけ程度を段階的に高くなるようにすることであり、
前記映像変換処理情報が、前記反応が感知された時点の前記映像情報のぼやけ程度を含む、
ユーザ端末。
【請求項１５】
ユーザ端末とユーザとの間の距離を検出するための情報をセンシングする距離センサー部と、
前記ユーザ端末の使用時間を検出し、前記距離と前記使用時間のうち少なくとも一つが予め定められた条件を満たせば、前記ユーザ端末の画面に表示される映像情報を予め定められた映像処理方法により変換処理し、前記映像情報が前記予め定められた映像処理方法により変換処理されたことに対して前記ユーザから予め定められた反応が感知されれば、映像変換処理情報と、前記距離と、前記使用時間とを少なくとも含む端末使用パターン情報を収集する制御部と、
を含み、
前記予め定められた映像処理方法が、時間経過につれて前記映像情報を縁部からぼやけさせるか暗くする範囲を段階的に拡大させることであり、
前記映像変換処理情報が、前記反応が感知された時点の前記映像情報におけるぼやけさせるか暗くした範囲の情報を含む、
ユーザ端末。
【請求項１６】
前記予め定められた条件は、前記距離が基準距離未満であり、前記使用時間が基準時間以上と設定される請求項１３〜１５のいずれかに記載のユーザ端末。                                                                            
【発明の詳細な説明】
【技術分野】
【０００１】
本発明は、端末使用パターン情報の収集管理方法及びシステムに関し、さらに詳しくは、ユーザの視力保護及び管理のために、ユーザ端末の画面表示を制御する過程で生成する端末使用パターン情報を収集管理する方法及びシステムに関する。
【背景技術】
【０００２】
最近、情報通信技術が発達するにつれて移動通信端末機の普及が急激になされている。移動通信端末機は、電話機能だけでなく、多様なアプリケーション（ａｐｐｌｉｃａｔｉｏｎ）を利用してユーザが所望の多様なサービスを提供することができる。
【０００３】
ところで、移動通信端末機から提供するサービスを利用する時、ユーザ本人も知らないうちに、無意識的に近距離で画面を長時間凝視する状態が持続かつ繰り返して起こり、瞬きが急激に減るようになる。
【０００４】
このような過度な目の使用により、目の疲労度が増加するだけでなく、目が乾燥する可能性がある。そして、目の乾燥さが増加すれば、視野がぼやけて視力が大きく低下するという問題点があった。また、長時間の近距離作業が持続的に繰り返される場合、近眼が進行する確率が高くなる。最近、東アジア地域では、高い近眼有病率の統計が持続的に発表されており、特に、高度近眼の場合は、網膜剥離、網膜裂孔、近視性黄斑変性などの眼科的疾病が発生する危険が増加するようになる。
【０００５】
最近、移動通信端末機を使用する年令層が次第に低くなり、自己統制力の弱い乳児または子供たちまで視力低下が発生しているので、乳児または子供たちが移動通信端末機を一定時間以上連続して使用すると自動で動作を中止し制限するようにする技術開発が要求されている。
【０００６】
しかし、従来のように移動通信端末機の使用時間に応じて動作を単純に中止し制限するようにする方法は、視力低下を減少させるのに大して役に立たなかった。
【発明の概要】
【発明が解決しようとする課題】
【０００７】
そこで、本発明が解決しようとする技術的課題は、ユーザの視力保護及び管理のために、ユーザ端末の画面表示を制御する過程で生成する端末使用パターン情報を収集管理し、収集された端末使用パターン情報に基づいてユーザの目の健康状態を判断して管理する方法及びシステムを提供することにある。
【０００８】
また、本発明は、明示的に言及された目的以外にも、後述する本発明の構成から達成されることができる他の目的も含む。
【課題を解決するための手段】
【０００９】
上記技術的課題を解決するための本発明の一実施例による端末使用パターン情報の収集管理方法は、ユーザ端末とユーザとの間の距離を検出する段階と、前記ユーザ端末の使用時間を検出する段階と、前記距離と前記使用時間のうち少なくとも一つが予め定められた条件を満たせば、前記ユーザ端末の画面に表示される映像情報を予め定められた映像処理方法により変換処理する段階と、前記ユーザから予め定められた反応が感知されれば、映像変換処理情報、前記距離及び前記使用時間のうち少なくとも一つを含む端末使用パターン情報を収集する段階とを含む。
【００１０】
前記予め定められた条件は、前記距離が基準距離未満であり、前記使用時間が基準時間以上と設定できる。
【００１１】
前記予め定められた映像処理方法は、時間経過につれて段階的に前記映像情報を元のサイズより拡大または縮小することであり、前記映像変換処理情報は、前記反応が感知された時点の前記映像情報の拡大の割合または縮小の割合を含むことができる。
【００１２】
前記予め定められた映像処理方法は、時間経過につれて前記映像情報のぼやけ程度を段階的に高くなるようにすることであり、前記映像変換処理情報は、前記反応が感知された時点の前記映像情報のぼやけ程度を含むことができる。
【００１３】
前記予め定められた映像処理方法は、時間経過につれて前記映像情報を縁部からぼやけさせるか暗くする範囲を段階的に拡大させることであり、前記映像変換処理情報は、前記反応が感知された時点の前記映像情報におけるぼやけさせるか暗くした範囲の情報を含むことができる。
【００１４】
前記予め定められた映像処理方法は、前記映像情報を予め設定された色相で処理することであり、前記映像変換処理情報は、前記予め設定された色相情報を含むことができる。
【００１５】
前記方法は、前記ユーザ端末とユーザとの間の距離が基準距離以上になれば、前記映像情報を元の状態で表示する段階をさらに含むことができる。
【００１６】
前記反応は、前記距離が基準距離以上になるか、前記変換処理と反対のユーザ操作が入力されることができる。
【００１７】
前記方法は、前記収集された端末使用パターン情報に基づいてユーザの目の健康状態を判断する段階をさらに含むことができる。
【００１８】
上記技術的課題を解決するための本発明の一実施例による端末使用パターン情報の収集管理システムは、ユーザ端末とユーザとの間の距離とユーザ端末の使用時間のうち少なくとも一つが予め定められた条件を満たせば、画面に表示される映像情報を予め定められた映像処理方法により変換処理するユーザ端末で収集された端末使用パターン情報の提供を受けるサービスサーバを含む。
【００１９】
上記技術的課題を解決するための本発明の他の実施例によるユーザ端末は、ユーザ端末とユーザとの間の距離を検出するための情報をセンシングする距離センサー部と、前記ユーザ端末の使用時間を検出し、前記距離と前記使用時間のうち少なくとも一つが予め定められた条件を満たせば、前記ユーザ端末の画面に表示される映像情報を予め定められた映像処理方法により変換処理し、前記ユーザから予め定められた反応が感知されれば、映像変換処理情報、前記距離及び前記使用時間のうち少なくとも一つを含む端末使用パターン情報を収集する制御部とを含む。
【発明の効果】
【００２０】
本発明によると、ユーザの視力保護及び管理のために、ユーザ端末の画面表示を制御する過程で生成する端末使用パターン情報を収集管理し、収集された端末使用パターン情報に基づいてユーザの目の健康状態を判断して管理することができる。
【００２１】
また、ユーザがユーザ端末を長時間近距離で利用する場合、画面に表示される情報を元のサイズより段階的に拡大または縮小させて表示することで、ユーザが見ていた情報を連続的に提供しつつ自発的にユーザ端末から離れるようにすることができる。
【００２２】
さらに、ユーザ端末を長時間近距離で利用する場合、ユーザ端末の画面に表示される情報を近眼進行者から見える焦点離脱形態により表示することで、ユーザに警戒心を与えて警告することができる。即ち、ユーザ自身に起こりうる実際の近眼の症状を現わす写真を見せることで、ユーザに近眼に対するより正確な情報と警戒心を与えることができる。
【００２３】
一方、本発明の効果は、上述したものに限らず、後述する本発明の構成から導出されることができる他の効果も本発明の効果に含まれる。
【図面の簡単な説明】
【００２４】
【図１】本発明の一実施例による端末使用パターン情報の収集管理システムの構成図である。
【図２】図１のユーザ端末の細部構成を示した図面である。
【図３】本発明の一実施例による端末使用パターン情報の収集管理システムの動作を説明するために提供されるフローチャートである。
【図４】本発明の一実施例による画面に表示される映像情報が段階的に拡大することを例示したものである。
【図５】本発明の一実施例による画面に表示される映像情報が段階的にぼやけることを例示したものである。
【図６】本発明の一実施例による画面に表示される映像情報が縁部から段階的に暗くなることを例示したものである。
【発明を実施するための形態】
【００２５】
それでは、添付の図面を参考して本発明の実施例について本発明が属する技術分野で通常の知識を持った者が容易に実施できるように詳しく説明する。
【００２６】
図１は、本発明の一実施例による端末使用パターン情報の収集管理システムの構成図である。
【００２７】
図１を参考すると、本発明によるシステム１は、多数のユーザ端末１００及びサービスサーバ２００を含むことができる。
【００２８】
ユーザ端末１００とサービスサーバ２００は、ネットワーク１０を通じて各種の情報及びデータを交換することができる。
【００２９】
ネットワーク１０は、構内情報ネットワーク（Ｌｏｃａｌ  Ａｒｅａ  Ｎｅｔｗｏｒｋ、ＬＡＮ）、都市圏ネットワーク（Ｍｅｔｒｏｐｏｌｉｔａｎ  Ａｒｅａ  Ｎｅｔｗｏｒｋ、ＭＡＮ）、広域ネットワーク（Ｗｉｄｅ  Ａｒｅａ  Ｎｅｔｗｏｒｋ、ＷＡＮ）、インターネット（ｉｎｔｅｒｎｅｔ）、３Ｇ（ｇｅｎｅｒａｔｉｏｎ）、４Ｇ（ｇｅｎｅｒａｔｉｏｎ）移動ネットワーク、ワイファイ（Ｗｉ−Ｆｉ）、ＷＩＢＲＯ（Ｗｉｒｅｌｅｓｓ  Ｂｒｏａｄｂａｎｄ  Ｉｎｔｅｒｎｅｔ）またはＬＴＥ（Ｌｏｎｇ  Ｔｅｒｍ  Ｅｖｏｌｕｔｉｏｎ）などを含む各種のデータネットワークを含むことができ、有線と無線に関係なく如何なる通信方式を使用しても構わない。
【００３０】
ユーザ端末１００は、スマートフォン、タブレットＰＣ（Ｐｅｒｓｏｎａｌ  Ｃｏｍｐｕｔｅｒ）、個人携帯情報端末機（Ｐｅｒｓｏｎａｌ  Ｄｉｇｉｔａｌ  Ａｓｓｉｓｔａｎｔ、ＰＤＡ）、ウェブパッドなどのようにメモリー手段を具備し、マイクロプロセッサー（ｍｉｃｒｏｐｒｏｃｅｓｓｏｒ）を搭載して演算能力を備えた端末機からなることができる。ユーザ端末１００は、多様なアプリケーションが設置されてユーザに多様なサービスを提供することができる。
【００３１】
ユーザ端末１００は、ユーザ端末とユーザとの間の距離とユーザ端末の使用時間のうち少なくとも一つが予め定められた条件を満たせば、画面に表示される映像情報を予め定められた映像処理方法により変換して処理することができる。
【００３２】
ユーザ端末１００は、端末使用パターン情報を収集して、サービスサーバ２００に提供することができる。ここで端末使用パターン情報は、映像変換処理情報、ユーザ端末とユーザとの間の距離及びユーザ端末の使用時間などに対する情報を含むことができる。映像変換処理情報は、ユーザ端末１００が画面に表示される映像情報を予め定められた映像処理方法により変換した内容に対する情報を含むことができる。端末使用パターン情報と映像変換処理情報については、下記でさらに詳しく説明する。
【００３３】
サービスサーバ２００は、複数のユーザ端末１００から転送された端末使用パターン情報を収集し、収集された端末使用パターン情報を分析してユーザの目の状態を管理するための情報を生成することができる。例えば、サービスサーバ２００は、一日に総何時間以下を使用すれば近眼が予防されるかを予測するために、ユーザの総使用時間を分析し、近眼進行程度を測定して数人のデータを集めて基準点を設定することができる。
【００３４】
サービスサーバ２００は、ユーザ端末１００から転送された端末使用パターン情報を格納して予め定められたグループの端末使用パターン情報を収集することもできる。例えば、父、母、子１、子２にユーザ端末がそれぞれあった場合、家族グループを生成することができる。すると、各家族構成員に対応する端末使用パターン情報がサービスサーバ２００に伝達されて家族グループの使用パターン情報を分析し、分析された結果に基づいて家族グループの目の管理方法をコーチングすることができる。
【００３５】
図２は、図１のユーザ端末の細部構成を示した図面である。
【００３６】
図１を参考すると、ユーザ端末１００は、距離センサー部１１０、入力部１２０、表示部１３０、制御部１４０、格納部１５０及び通信部１６０を含むことができる。
【００３７】
距離センサー部１１０は、ユーザ端末１００とユーザとの間の距離を検出するための情報をセンシングする機能を行う。例えば、距離センサー部１１０は、カメラであり、ユーザの顔イメージを獲得することができる。カメラを通じて撮影されたユーザの顔イメージから目、鼻または口などを認識して、ユーザ端末１００とユーザ間の距離を検出することができる。ユーザの顔映像を利用してカメラとユーザとの間の距離を求める方法は、既に知られた多様な方法の中から選択できる。一方、距離センサー部１１０は、超音波センサーまたは光センサー（赤外線）などであってもよい。ここで説明したものの他にも、距離センサー部１１０は、ユーザ端末１００とユーザとの間の距離を検出することができる多様な装置とできる。
【００３８】
入力部１２０は、ユーザ端末１００の動作と関連した命令をユーザから入力を受ける機能を行うことができる。入力部１２０は、タッチパッド、タッチスクリーン、各種の物理的ボタン、マイクロフォン、慣性センサーなどとできる。
【００３９】
表示部１３０は、ユーザ端末１００の動作と関連した情報を画面に表示する機能を行う。表示部１３０は、ＬＣＤパネル、ＯＬＥＤパネルなどのディスプレイモジュールとできる。
【００４０】
制御部１４０は、中央処理装置（ＣＰＵ、ｃｅｎｔｒａｌ  ｐｒｏｃｅｓｓｉｎｇ  ｕｎｉｔ）とオペレーティングシステムで実現でき、ユーザ端末１００の各種の動作を制御する機能を行う。例えば、ＣＰＵとアンドロイド（登録商標）プラットフォームで制御部１４０を実現できる。特に、本発明による制御部１４０は、ユーザ端末１００とユーザとの間の距離が基準距離未満であり、ユーザ端末１００の使用時間が基準時間以上であれば、ユーザの目を保護するための目の保護モードで動作することができる。
【００４１】
例えば、制御部１４０は、ユーザがユーザ端末１００を長時間近距離で利用すると判断されれば、ユーザ端末１００の画面に表示される情報を元のサイズより拡大または縮小して表示することで、ユーザが見ていた情報を連続的に提供しつつ自発的にユーザ端末１００から離れることができるようにする。もちろん、画面の拡大または縮小だけでなく、制御部１４０は、ユーザが予め定められた距離未満で予め定められた時間以上ユーザ端末１００を利用すると判断されれば、目の保護モードで動作して画面に出力される映像情報に対して予め定められた方法でイメージプロセッシングを行って出力することで、ユーザが自発的にユーザ端末１００から離れるようにすることができる。
【００４２】
そして、ユーザ端末とユーザとの間の距離が基準距離以上になれば、制御部１４０は、映像情報を元の形態で再び表示することができる。制御部１４０は、ユーザがユーザ端末１００との間の距離を一定距離以上に再び維持する場合、画面の情報を元の形態に再び調整して出力することで、ユーザとユーザ端末１００との間の距離が一定に維持されるようにする。
【００４３】
一方、制御部１４０は、端末使用時間が基準時間以上である場合、画面に動きイメージが表示されるようにすることができる。または、制御部１４０は、ユーザから連続使用時間の設定を受けて定められた周期毎に使用時間を表示することもできる。例えば、連続使用時間を５０分と設定した場合、タイマーを作動させてユーザが連続でどれほどユーザ端末を使用したかを表示して認識させ、連続使用時間が近付くと「連続使用時間１０分前です。」などのメッセージが表示されるようにできる。
【００４４】
そして、制御部１４０は、連続使用時間が過ぎると、自動で画面自体が緑色に変わるか、動くイメージが表示されて、ユーザに瞬きと休息を誘導することができる。例えば、ユーザが瞬きや目の運動ができるように目の運動動画が提供されて、目の運動動画が終われば再び正常画面が表示されるようにすることができる。
【００４５】
格納部１５０は、ユーザ端末１００の動作に必要な各種のデータ及びプログラムを格納し、制御部１４０の要請に応じて提供する機能を行う。格納部１５０は、ハードディスク、ラム（ＲＡＭ）、ロム（ＲＯＭ）、フラッシュメモリー、ＳＳＤ（Ｓｏｌｉｄ  Ｓｔａｔｅ  Ｄｒｉｖｅ）などのメモリーモジュールとできる。
【００４６】
通信部１６０は、ユーザ端末１００が外部装置と各種の情報及びデータを交換できるように支援する機能を行い、そのため有無線通信モジュールを含むことができる。
【００４７】
図３は、本発明の一実施例による端末使用パターン情報の収集管理システムの動作を説明するために提供されるフローチャートである。
【００４８】
図１〜図３を参考すると、制御部１４０は、距離センサー部１１０を通じてセンシングされた情報に基づいてユーザ端末１００とユーザとの間の距離を検出する（Ｓ３１０）。
【００４９】
以後、ユーザ端末とユーザとの間の距離が予め定められた基準距離未満であれば（Ｓ３２０−Ｙ）、制御部１４０は、基準距離未満になった時点からユーザ端末の使用時間を検出することができる（Ｓ３３０）。
【００５０】
次に、基準距離未満になった時点からユーザ端末の使用時間が基準時間以上であれば（Ｓ３４０−Ｙ）、制御部１４０は、ユーザ端末１００の画面に表示される映像情報を予め定められた映像処理方法により変換処理することができる（Ｓ３５０）。
【００５１】
段階（Ｓ３５０）において、下記の図４〜図６で例示したように、多様な映像処理方法が適用されることができる。
【００５２】
図４は、本発明の一実施例による画面に表示される映像情報が段階的に拡大することを例示したものである。
【００５３】
図４を参照すると、ユーザ端末１００を使用し始めたか使用して間もない初期には、図４（ａ）のように、元のサイズを持つ情報をユーザ端末１００の画面に表示できる。元のサイズは、ユーザ端末１００自体の中で設定された文字、イメージまたは写真などのような情報のサイズであるか、ユーザによって予め調整されて設定されたサイズであり、ユーザが通常、ユーザ端末１００を使用する時に画面に出力される情報のサイズを言う。
【００５４】
しかし、ユーザ端末１００を長時間近距離で利用する場合、目の疲労度が増加するだけでなく、目が乾燥して視野がぼやけるため、ユーザはよりよく見るために画面に顔をさらに近づけるようになる。
【００５５】
ユーザが長時間近距離でユーザ端末１００を使用すると判断されれば、制御部１４０は、目の保護モードで動作してユーザがユーザ端末１００から自然と離れるように画面に表示される情報を元のサイズより拡大して表示することができる。画面に表示される情報が元のサイズより拡大して表示されれば、情報が画面で充分に見えなくなるため、ユーザは画面の情報を見るためにユーザ端末１００と十分な距離を確保するしかなくなる。
【００５６】
この時、画面の情報を元のサイズより拡大する割合は、時間の経過につれて段階的に高くなることができる。例えば、目の保護モードで動作した時点が初期の場合は、図４（ｂ）のように、画面に表示される情報を少し拡大して表示することができるが、時間が経過してもユーザがユーザ端末１００に近く接近した状態で画面を凝視し続ける場合、画面に表示される情報を図４（ｂ）の情報より段階的にさらに拡大して表示することができる。そして、ユーザがユーザ端末１００に近く接近し過ぎた状態で長時間利用すると、画面に表示される情報が図４（ｃ）のように、非常に大きく拡大して情報を画面で充分に見えないように表示させることができる。
【００５７】
もちろん、状況によって画面の情報を短時間で元のサイズより急激に拡大したサイズで表示することも可能であるが、ユーザが認識できないように図４（ｂ）及び図４（ｃ）に例示したものよりもさらに細分して情報のサイズを段階的に拡大させることで、ユーザが拒否感なくユーザ端末１００を使用しながら自然と目を保護できるようにすることもできる。この時、ユーザが認識できないように段階的に拡大させるための情報の拡大割合は、学習や実験を通じて獲得できる。
【００５８】
このように、ユーザ端末１００を長時間近距離で利用する場合、時間の経過につれて画面の情報を元のサイズより段階的に拡大させることで、ユーザが見ていた情報を連続的に提供しつつ自発的にユーザ端末１００から離れるようにすることができる。
【００５９】
そして、制御部１４０は、ユーザの視線方向に対応する位置を中心として拡大することができる。例えば、ユーザがネイバー（登録商標）でリアルタイム上昇順位に対する情報を見ている場合、制御部１４０は、リアルタイム上昇順位を中心として情報の拡大が行われることができる。このように、制御部１４０は、ユーザの視線が向かう位置を中心として拡大が行われるようにすることで、ユーザが見ていた情報を逃さないようにすることもできる。
【００６０】
一方、実施例によって、制御部１４０は、目の保護モードで動作して画面に表示される情報を元のサイズより縮小して表示することもできる。この時、画面の情報を元のサイズより縮小する割合は、時間の経過につれて段階的に高くなることができる。そして、ユーザが認識できないように段階的に縮小させるための情報の縮小の割合は、学習や実験を通じて獲得できる。
【００６１】
図５は、本発明の一実施例による画面に表示される映像情報が段階的にぼやけることを例示したものである。
【００６２】
図５を参照すると、制御部１４０は、画面に表示される情報を段階的に拡大させる代わりに、時間経過につれて映像情報のぼやけ程度を段階的に高くなるようにすることもできる。ここで、ぼやけは、近眼が進行している人が事物の焦点がぼやけて見える時のように、映像が焦点から離脱した形態で見えるように処理することを言う。
【００６３】
図５（ａ）は、正常な形態の情報を示す画面であり、図５（ｂ）及び図５（ｃ）は、段階的にぼやけ程度が高くなる情報を示す画面である。実施例によって図５（ｂ）及び図５（ｃ）に示したものよりもさらに細分して情報のぼやけ程度が高くなるように処理することもできる。
【００６４】
ユーザ端末１００を使用し始めたか使用して間もない初期には、図５（ａ）のように、ユーザ端末１００の画面に焦点が正確である正常な情報を表示できる。それから、ユーザとユーザ端末１００との間の距離が基準距離未満であり、ユーザ端末１００の使用時間が基準時間以上であれば、画面に表示される情報を図５（ｂ）及び図５（ｃ）のように、近眼進行者に現われる焦点が離脱した形態で表示されるように段階的にぼやけ程度を高めることで、ユーザに警戒心を与えながら警告することができる。このように、制御部１４０は、ユーザに起こりうる実際の近眼の症状を現わす写真を見せることで、ユーザに近眼に対するより正確な情報と警戒心を与えることができる。
【００６５】
図６は、本発明の一実施例による画面に表示される映像情報が縁部から段階的に暗くなることを例示したものである。
【００６６】
図６を参照すると、制御部１４０は、画面に表示される情報を段階的に拡大させるかぼやけ程度を高める代わりに、時間経過につれて映像情報の縁部から段階的に暗くなるようにすることもできる。実施例によって図６（ｂ）及び図６（ｃ）に示したものよりもさらに細分して情報の縁部から暗くなる範囲を拡大した処理をすることもできる。
【００６７】
近眼の進行時に緑内障性の視野減少現象が現れることもある。図６（ａ）は、映像情報を正常形態で表示した場合であり、図６（ｂ）及び図６（ｃ）は、映像情報の縁部から段階的に暗くなるように処理することで、ユーザの視野が減少する効果を表現したものである。
【００６８】
一方、実施例によって図６で映像情報を映像情報の縁部から段階的に暗くなるように処理する代わりに、映像情報の縁部から段階的にぼやけるように処理することも可能である。
【００６９】
このようにユーザに起こりうる実際の近眼の症状を現わす写真を見せることで、ユーザに近眼に対するより正確な情報と警戒心を与えることができる。
【００７０】
一方、上述した方法の他にも、多様な映像処理方法を選択できる。
【００７１】
例えば、制御部１４０は、情報が画面に出力されないようにするか、画面に出力される情報を白黒で表示するようにできる。また、制御部１４０は、ユーザから予め設定された色相で映像情報を処理して出力することもできる。例えば、ユーザが最も嫌いな赤色を予め設定しておけば、制御部１４０は、映像情報を赤色だけで表示するようにできる。ユーザが嫌いな色相で映像情報を処理することで、ユーザがユーザ端末１００から離れるようにする効果をもたらすこともできる。
【００７２】
一方、制御部１４０は、ユーザがユーザ端末から離れるようにするための警告メッセージを出力することもできる。そして、単純に警告メッセージを出力するものではなく、例えば「持続的に近くで見ると近眼が進行し、次のように見えるようになります。」というメッセージと共に画面の情報が近眼を持った人が見える情報で表示されるようにすることもできる。
【００７３】
再び図３を参照すると、段階（Ｓ３５０）で映像情報を予め定められた方法で処理してから、ユーザから予め定められた反応が感知されれば（Ｓ３６０−Ｙ）、制御部１４０は、映像変換処理情報、ユーザ端末とユーザとの間の距離及びユーザ端末の使用時間などを含む端末使用パターン情報を収集することができる（Ｓ３７０）。段階（Ｓ３７０）で収集される映像変換処理情報は、上述した段階（Ｓ３５０）で行われた映像処理内容とできる。そして、映像変換処理情報は、ユーザから予め定められた反応が感知された時点の映像情報の拡大の割合、縮小の割合、ぼやけ程度、映像情報におけるぼやけさせるか暗くなった範囲の情報などを含むことができる。
【００７４】
もちろん、端末使用パターン情報は、ユーザから予め定められた反応が感知された時点前後の一定期間の映像変換処理情報、ユーザ端末とユーザとの間の距離及びユーザ端末の使用時間などを含むこともできる。例えば、情報拡大割合がいくらの時にユーザが反応を示したか、ユーザがユーザ端末１００にどれほど接近してから離れたか、またはユーザ端末１００を使用した時間がどれほど経過してから基準距離以上に近くなったり離れたりしたかに対する情報を収集すると、収集された端末使用パターン情報を分析してユーザの目の状態を把握することができるようになる。そして、端末使用パターン情報は、ユーザ端末１００を使用し始めた時点における初期距離または視聴パターン情報などをさらに含んでユーザの目の状態を正確に把握するのに利用可能にすることもできる。
【００７５】
段階（Ｓ３６０）で予め定められた反応は、元の映像情報が予め定められた方法に変換されて表示された後、ユーザが不便を感じてユーザ端末１００から基準距離以上に離れることであることもできる。または段階（Ｓ３５０）で変換処理と反対のユーザ操作が入力されることであることもできる。例えば、拡大した映像を縮小させるための操作などであることができる。
【００７６】
一方、段階（Ｓ３５０）で映像情報を予め定められた方法で処理してから、ユーザ端末とユーザとの間の距離が基準距離以上になれば（Ｓ３８０−Ｙ）、制御部１４０は、段階（Ｓ３５０）で変換された映像情報を元の状態で表示することができる（Ｓ３９０）。
【００７７】
一方、制御部１４０は、収集された端末使用パターン情報に基づいてユーザの目の健康状態を判断することができる。制御部１４０は、収集された端末使用パターン情報を分析してユーザの目の健康状態を把握することができるが、制御部１４０で予め備えられたプログラムを通じて直接ユーザの目の健康状態を判断するように具現化することができる。
【００７８】
また、制御部１４０は、サービスサーバ２００に端末使用パターン情報を転送し、サービスサーバ２００で分析されたユーザの目の健康状態を受信してユーザに提供できるようにする。即ち、医者が医学的に直接分析したユーザの目の健康状態に対する情報の提供を受けることもできる。
【００７９】
サービスサーバ２００は、ユーザ端末１００から収集されて転送された端末使用パターン情報で構築されたビックデータを利用して、ユーザの端末使用パターンによる目の健康状態予測モデルを学習することもできる。そして、サービスサーバ２００は、目の健康状態予測モデルに基づいてユーザの目の健康状態を予測した結果をユーザ端末１００に提供することもできる。
【００８０】
本発明の実施例は、多様なコンピューターで実現される動作を行うためのプログラム命令を含むコンピューターで読み取れる媒体を含む。この媒体は、上述した方法を実行させるためのプログラムを記録する。この媒体は、プログラム命令、データファイル、データ構造などを単独でまたは組み合わせて含むことができる。このような媒体の例には、ハードディスク、フロッピーディスク及び磁気テープのような磁気媒体、ＣＤ及びＤＶＤのような光記録媒体、フロプティカルディスク（ｆｌｏｐｔｉｃａｌ  ｄｉｓｋ）と磁気−光媒体、ロム、ラム、フラッシュメモリーなどのようなプログラム命令を格納して行うように構成されたハードウェア装置などがある。プログラム命令の例には、コンパイラーによって作られるような機械語コードだけでなく、インタプリターなどを使用してコンピューターによって実行可能な高級言語コードを含む。
【００８１】
以上で本発明の好ましい実施例について詳しく説明したが、本発明の権利範囲はこれに限定されるものではなく、次の請求の範囲で定義している本発明の基本概念を利用した当業者の様々な変形及び改良形態も本発明の権利範囲に属する。
【図１】
0006916955.tif 000002
【図２】
0006916955.tif 000003
【図３】
0006916955.tif 000004
【図４】
0006916955.tif 000005
【図５】
0006916955.tif 000006
【図６】
0006916955.tif 000007